(57)【要約】 【課題】  ハンドルを単純に押すだけ、或いは単純に引くだけで、扉を開けることができること。【解決手段】  同調部材は、上下の台座内にそれぞれ水平方向に固定された上下のラックと、これらのラックにそれぞれ噛合する上下の同調平歯車と、これらの同調平歯車に固定され、かつ、ハンドル内に垂直状態に設けられた連動軸とから成り、ハンドルを押す或いは引くと、該ハンドルの操作力に基づき同調平歯車及び連動軸が同時に回転すると共に、台座内にそれぞれ設けられた支持部材に嵌合する上下のハンドル摺動腕を介して、ハンドル４はそのまま扉１の壁面１ａに直交する方向へ水平移動するプッシュプル錠のハンドル移動案内機構。【選択図】  図２
2005226332.tif 000002
【特許請求の範囲】
【請求項１】
ハンドル乃至台座に設けられ、かつ、ハンドルを押す或いは引くと同調する同調部材を備えたプッシュプル錠のハンドル移動案内機構に於いて、前記同調部材は、上下の台座内にそれぞれ水平方向に固定された上下のラックと、これらのラックにそれぞれ噛合するようにハンドル内の連動軸の上下端部にそれぞれ固定された上下の同調平歯車とから成り、ハンドルを押す或いは引くと、該ハンドルの操作力に基づき、前記同調平歯車及び連動軸が同時に回転すると共に、前記台座内にそれぞれ設けられた支持部材に嵌合する上下のハンドル摺動腕を介して、ハンドル４はそのまま扉１の壁面１ａに直交する方向へ水平移動することを特徴とするプッシュプル錠のハンドル移動案内機構。
【請求項２】
請求項１に於いて、ラック２１Ａは、台座に固定された取付け片３１Ａに設けられ、該取付け片３１Ａは、同調平歯車２２Ａを壁面に直交する方向へ案内する案内板３２Ａを有することを特徴とするプッシュプル錠のハンドル移動案内機構。
【請求項３】
請求項１に於いて、ハンドル４は、垂直切欠部１６を有するハンドル本体４Ａと、前記垂直切欠部１６に嵌合する分離可能な添設ハンドル４Ｂとから成り、添設ハンドル４Ｂの垂直内壁面には、垂直の連動軸２４を受け入れることが可能な切欠部が形成されていることを特徴とするプッシュプル錠のハンドル移動案内機構。
【請求項４】
ハンドル乃至台座に設けられ、かつ、ハンドルを押す或いは引くと同調する同調部材を備えたプッシュプル錠のハンドル移動案内機構に於いて、前記同調部材は、上下の台座内にそれぞれ水平方向に固定された上下のラックと、これらのラックにそれぞれ噛合するようにハンドルの上下の軸支板にそれぞれ軸支された上下の第１同調平歯車と、これらの第１同調平歯車にそれぞれ噛合するようにハンドル内の連動軸の上下端部にそれぞれ固定された上下の第２同調平歯車とから成り、ハンドルを押す或いは引くと、該ハンドルの操作力に基づき、前記同調平歯車及び連動軸が同時に回転すると共に、前記台座内にそれぞれ設けられた支持部材に嵌合する上下のハンドル摺動腕を介して、ハンドル４はそのまま扉１の壁面１ａに直交する方向へ水平移動することを特徴とするプッシュプル錠のハンドル移動案内機構。
【請求項５】
請求項４に於いて、台座２の前方開口１１に臨むハンドル４の前進側の壁４ａと該前進側の壁と対向する後退側の壁４ｃには、前後に貫通する第１開口１４、１４が形成されていることを特徴とするプッシュプル錠のハンドル移動案内機構。
【請求項６】
ハンドル乃至台座に設けられ、かつ、ハンドルを押す或いは引くと同調する同調部材を備えたプッシュプル錠のハンドル移動案内機構に於いて、前記同調部材６Ｂは、ハンドル内に垂直状態に設けられた連動軸２４にそれぞれ固定された上下の回転板３５と、これらの回転板３５の偏心位置にそれぞれ可動軸３６を介して一端部が軸支された上下の連結リンク３７と、これらの連結リンクの他端部にそれぞれ繋軸３８を介して連結され、かつ、他端部が前記台座２側の固定軸３９に軸支された上下のリンク４０とから成り、ハンドルを押す或いは引くと、前記連結リンクは、ハンドルの操作力に基づき、可動軸３６を介して回転板と共動すると共に、前記台座内にそれぞれ設けられた支持部材に嵌合する上下のハンドル摺動腕を介して、ハンドル４はそのまま扉１の壁面１ａに直交する方向へ水平移動することを特徴とするプッシュプル錠のハンドル移動案内機構。
【発明の詳細な説明】
【技術分野】
【０００１】
本発明は、プッシュプル錠のハンドル移動案内機構に関する。
【背景技術】
【０００２】
特許文献１には、プッシュプル錠（ハンドル錠）が記載されている。プッシュプル錠は、普通一般に、台座の外側に棒状或いは厚板のハンドルを備えている。同ハンドルを押す或いは引くと、ハンドルの操作力により、錠箱内に設けられている作動片が所定方向に動作する。そして、ラッチボルトが戸枠側の受け金具から後退するから、扉を開けることができる。
【０００３】
ところで、上記ハンドルを押す或いは引く際に、ハンドルがスムースに上下動するようにハンドル移動案内機構がハンドル乃至前記台座に設けられている。このハンドル移動案内機構の一例として、特許文献１の第３実施例（第１０図、第１１図）には、「扉の壁面に取付けられた台座に軸支されたＬ型揺動リンクと、揺動リンクの一端部に枢軸を介してハンドル内に垂直状態に設けられた連動杆と、前記揺動リンクの側面に設けられた駆動傘歯車と噛合するように台座に水平状態に軸支された従動傘歯車とから成る同調部材とを備えたハンドル移動案内機構」が開示されている。
【０００４】
上記ハンドル移動案内機構は、ハンドルを把持して力を入れた時に、同ハンドルが上又は下方向に移動する。そうすると、ハンドルの前面から突出する腕状軸受けに軸支されたＬ型揺動リンクが所定量回動するから、駆動傘歯車の駆動力によって従動傘歯車が回動し、錠箱内の作動片に対して連係する連動片が水平方向に動く。したがって、この傘歯車を利用した第３実施例も、第１実施例と同様に、いわゆる「上下リンク型のハンドル移動案内機構」と言えるものである。
【０００５】
ところで、上下リンク型のハンドル移動案内機構は、ハンドルの中央部を握って同ハンドルを上げ下げする分には問題はないが、ハンドルの端部を握って同ハンドルに力を入れると、一方側の揺動リンクに操作力が集中して同調部材に無理な力がかかるという問題点があると共に、ハンドルを、例えば持ち上げるようにして操作しなければならない。つまり、ハンドルの操作に関し、ハンドルを単純に押しただけ、或いは単純に引いただけでは扉をスムースに開けることができない。
【０００６】
また、上下リンク型のハンドル移動案内機構は、ハンドルが上下動するので、台座の内部空間乃至ハンドルの内部空間にサムターン、シリンダーなど錠前を構成する部材を積極的に組み込むことができず、デザイン上の制約（例えばシリンダーを台座以外の個所に設置しなければならないという制約）があった。
【０００７】
さらに、前記第３実施例は、伝動歯車を利用しているものの、同伝動歯車は傘歯車なので、ハンドルを台座の前方に正確に取付けなければならないとい問題点がある。それはハンドルの取付け位置が上下方向に僅かでもずれると、傘歯車同士が噛合しなくなるからである。
【特許文献１】実開平３−１２８１７７号公報（第２５０８３６６号）
【発明の開示】
【発明が解決しようとする課題】
【０００８】
本発明の第１の目的は、操作性の良いハンドル移動案内機構を提案すること。第２の目的は、同調部材の特定の個所に力が集中しないこと。第３の目的は、台座やハンドルの内部空間にサムターン、シリンダーなど錠前を構成する部材を積極的に組み込むことができること。第４の目的は、台座内に同調部材を合理的、かつ、コンパクトに設けること。第５の目的は、ハンドル内に連動軸を合理的に組み込むことができることである。
【課題を解決するための手段】
【０００９】
本発明のプッシュプル錠のハンドル移動案内機構は、ハンドル乃至台座に設けられ、かつ、ハンドルを押す或いは引くと同調する同調部材を備えたプッシュプル錠のハンドル移動案内機構に於いて、前記同調部材は、上下の台座内にそれぞれ水平方向に固定された上下のラックと、これらのラックにそれぞれ噛合するようにハンドルの上下の軸支板にそれぞれ軸支された上下の第１同調平歯車と、これらの第１同調平歯車にそれぞれ噛合するようにハンドル内の連動軸の上下端部にそれぞれ固定された上下の第２同調平歯車とから成り、ハンドルを押す或いは引くと、該ハンドルの操作力に基づき、前記同調平歯車及び連動軸が同時に回転すると共に、前記台座内にそれぞれ設けられた支持部材に嵌合する上下のハンドル摺動腕を介して、ハンドル４はそのまま扉１の壁面１ａに直交する方向へ水平移動することを特徴とする。
【００１０】
また本発明のプッシュプル錠のハンドル移動案内機構は、ハンドル乃至台座に設けられ、かつ、ハンドルを押す或いは引くと同調する同調部材を備えたプッシュプル錠のハンドル移動案内機構に於いて、前記同調部材は、上下の台座内にそれぞれ水平方向に固定された上下のラックと、これらのラックにそれぞれ噛合するようにハンドル内の連動軸の上下端部にそれぞれ固定された上下の同調平歯車とから成り、ハンドルを押す或いは引くと、該ハンドルの操作力に基づき、前記同調平歯車及び連動軸が同時に回転すると共に、前記台座内にそれぞれ設けられた支持部材に嵌合する上下のハンドル摺動腕を介して、ハンドル４はそのまま扉１の壁面１ａに直交する方向へ水平移動することを特徴とする。
【００１１】
さらに、本発明のプッシュプル錠のハンドル移動案内機構は、ハンドル乃至台座に設けられ、かつ、ハンドルを押す或いは引くと同調する同調部材を備えたプッシュプル錠のハンドル移動案内機構に於いて、前記同調部材６Ｂは、ハンドル内に垂直状態に設けられた連動軸２４にそれぞれ固定された上下の回転板３５と、これらの回転板３５の偏心位置にそれぞれ可動軸３６を介して一端部が軸支された上下の連結リンク３７と、これらの連結リンクの他端部にそれぞれ繋軸３８を介して「くの字型」に連結され、かつ、他端部が前記台座２側の固定軸３９に軸支された上下のリンク４０とから成り、ハンドルを押す或いは引くと、前記連結リンクは、ハンドルの操作力に基づき、可動軸３６を介して回転板と共動すると共に、前記台座内にそれぞれ設けられた支持部材に嵌合する上下のハンドル摺動腕を介して、ハンドル４はそのまま扉１の壁面１ａに直交する方向へ水平移動することを特徴とする。
【発明の効果】
【００１２】
（１）ハンドルを単純に押すだけ、或いは単純に引くだけで、扉を開けることができる。したがって、操作性が非常に良い。
（２）ハンドルのどの部位を把持して押す或いは引いても、均等な力が上下の同調平歯車に作用する。この点、リンクを利用した第３実施例も同様である。したがって、同調部材の特定の個所に力が集中しない。
（３）台座やハンドルの内部空間にサムターン、シリンダーなど錠前を構成する部材を積極的に組み込むことができる。したがって、シリンダーなどを台座以外の箇所に設置しなければならないといったようなデザイン上の制約を受けない。
（４）実施例によっては、台座内に同調部材を合理的、かつ、コンパクトに設けることができる（例えばラックが台座の前方開口から食み出ない）。
（５）同調歯車が平歯車の場合には、台座に対するラックやハンドル用支持部材の取付け位置の厳格な正確さは要求されない。ハンドルの取付けが上下方向に若干ずれても良い。
【発明を実施するための最良の形態】
【００１３】
以下、図１乃至図８に示す本発明を実施するための最良の形態（第１実施例）により説明する。本発明は、背景技術との関係では、「扉の壁面に所要間隔を有して上下にそれぞれ取付けられた台座と、これらの台座に上下のハンドル用支持部材（例えば軸受け、連結杆など）を介して垂直状態に設けられたハンドルと、このハンドル乃至前記台座に設けられ、かつ、ハンドルを押す或いは引くと同調する同調部材（例えばリンク、歯車など）とを備えたプッシュプル錠のハンドル移動案内機構」を前提とする。
【００１４】
（１）発明の実施の環境
図１は発明の実施の環境を示す概略説明図である。図１に於いて、Ｘはプッシュプル錠のハンドル移動案内機構、１は扉、２は台座、３は台座２．２内にそれぞれ固定されたハンドル用支持部材、４は台座２．２の前方側に垂直状態に設けられたハンドル、５は前記支持部材３．３にそれぞれ嵌合する上下のハンドル摺動腕、６はハンドル乃至前記台座２．２に設けられ、かつ、ハンドル４を押す或いは引くと同調する同調部材である。以下、本発明の特定要件について順次説明するが、細部的な事項は図面及びその説明を割愛する。なお、本発明では上下に同一部材が存在するので、便宜上、同一の符号を付して重複する説明を省略する。同一の符号は、原則的に同一の構成を意味する。
【００１５】
（２）ハンドル移動案内機構Ｘ
プッシュプル錠は、普通一般に扉の内外にプッシュ（押す）或いはプル（引く）する垂直ハンドルが設けられている。本発明のハンドル移動案内機構Ｘは、プッシュ又はプルだけの場合、プッシュとプルを併用した場合などに使用することができる。また、本発明のハンドル移動案内機構Ｘは、ハンドル４の中央部、上端部、下端部などを単純にプッシュ又はプルしても、ハンドル４は、そのまま扉１の壁面１ａに直交する方向へ水平移動することを目的とするので、移動案内機構Ｘには、同調部材６のみならず、ハンドル４の進退動と関係がある支持部材３やハンドル摺動腕５も含まれる。
【００１６】
（３）扉１
扉１は、建物の出入り口に一端部側が枢支され、水平方向に回転自在に設けられている。扉１の自由端部に設けられた錠箱７には、ラッチ、デッドボルト、作動片、バネなど当該錠前に必要な部材が適宜に組み込まれている。錠機構の具体的構成に関しては、本発明の特定要件ではないので割愛する。
【００１７】
（４）台座２
台座２．２は、扉１の壁面１ａに所要間隔を有して上下にそれぞれ取付けられている。壁面１ａは内壁面又は／及び外壁面を意味する。台座２は、前方開口の箱型形態に形成され、前後に切欠部、開口部などが適宜に形成されている。
【００１８】
図２及び図３を参照にして台座２を説明すると、２ａは壁面１ａに複数個の固着具８を介して固定される分離可能な背壁で、この背壁２ａはやや縦長である。
【００１９】
背壁２ａには単数又は複数個の開口部が形成されている。例えば中央部開口９、下部開口１０などである。これらの開口９．１０は、錠箱７側のラッチボルト用の作動片を駆動するため、或いはシリンダー、サムターンなどを台座２内に組み込んだ場合に錠機構と連動させるために適宜に利用される。ネジ、ネジ用孔に関しては説明や符号を省略する。以下、同様である。
【００２０】
２ｂは上下の壁で、これら上下の壁２ｂ．２ｂの前方縁は弧状に切欠されている。２ｃは左右の壁で、これら左右の壁２ｃ．２ｃは、前方に向かって内側に多少絞り込まれている。したがって、上下・左右の壁２ｂ．２ｂ．２ｃ．２ｃは、外観上、跳び箱の周壁のように台形筒型をしている。台座２の前端は、棒状或いは厚板状ハンドル４の進行側の一部を受け入れることができるように切欠或いは開口１１している。なお、台座２の形態に関しては、特に限定するものではない。
【００２１】
（５）ハンドル移動案内機構Ｘ…ハンドル用支持部材３
上下のハンドル用支持部材３は、各台座２．２の背壁２ａ．２ａの中央部開口９を基準にしてそれぞれ背壁２ａの前面に複数個の固着具を介してそれぞれ固定されている。支持部材３の形態に関しては特に限定するものではないが、例えばフランジ部に貫通小孔を有する取付けフランジ部３ａと、この取付けフランジ部３ａから前方開口１１側に延びる筒状嵌合部３ｂとから成る。
【００２２】
（６）ハンドル４とハンドル摺動腕５
ハンドル４は、該ハンドル４の前進側の壁面４ａに複数個の固着具を介して固定され、かつ、上下の台座２．２の各支持部材３．３に嵌合（嵌入）する上下１対のハンドル摺動腕５．５を介して台座２．２の前方側に垂直状態かつ水平動自在に設けられている。ハンドル４の形態に関しては特に問わないが、例えば横断面が円形或いは楕円形の中空パイプ或いは中実の棒状体であり、手で握り締めることができる程度の太さである。
【００２３】
しかして、台座２の前方開口１１に臨むハンドル４の前進側の壁面４ａと該前進側の壁面と対向する後退側の壁面４ｃには、前後に貫通する第１開口（図２では下方の開口部）１４が形成され、この第１開口１４には、シリンダー又はサムターンと称する錠機構を構成する部品が組み込まれる。したがって、望ましくは、ハンドル４の第１開口１４と台座２の嵌合孔１０は、略同一水平線上に位置するようにそれぞれ形成されている。
【００２４】
ところで、本実施例では説明の便宜上、下方の台座２に組み込まれた部品（例えば内側シリンダー、外側シリンダーなど）１５を仮想線で示す。組み込まれた部品１５は、出力側が台座２の嵌合孔１０に、一方、入力側が第１開口１４に嵌合するので、ハンドルの外側から第１開口１４内に存在する（例えば遊嵌合している）部品１５を見ることができる。
【００２５】
また、台座２の前方開口１１に臨むハンドル４の前進側の壁面４ａには、第２開口或いは切欠部（図５では垂直の切欠部）１６が形成されている。この垂直切欠部１６は、次に説明する添設ハンドル４Ｂや同調部材６据付用に使用されている。
【００２６】
なお、図５で示すように、本実施例では、中実の棒状体のハンドル４は、ハンドル本体４Ａと、前記垂直切欠部１６に嵌合する両端面半円状の分離可能な添設ハンドル４Ｂとから成り、添設ハンドル４Ｂの垂直内壁面には、垂直の連動軸２４を受け入れることが可能な切欠部が形成されている。添設ハンドル４Ｂ及び前記ハンドル本体４Ａには複数個のネジ用穴が形成されており、添設ハンドル４Ｂの上下の端面には連動軸２４を軸支した上下の軸支板２５．２５が固着具を介してそれぞれ固定されるが、添設ハンドル４Ｂは軸支板２５や連動軸２４が適宜に取付けられた後にハンドル本体４Ａの垂直切欠部１６に固着具を介して添設される。
【００２７】
（７）ハンドル摺動腕５と係止手段１７
係止手段１７は、上下のハンドル用支持部材３からハンドル４が抜けないように各支持部材３．３を介してハンドル４の進退動を規制する部材である。図２、図５で示すように、ハンドル摺動腕５は、ハンドル４の前進側の壁面４ａの段差状切欠面に複数個の固着具を介して固定される湾曲状のフランジ部５ａと、このフランジ部５ａから延び、かつ、台座２の支持部材３の筒状嵌合部３ｂに嵌入する摺動部５ｂとから成る。前記摺動部５ｂには水平方向の規制長孔１８が形成されている。ピン状の係止手段１７は、この規制長孔１８を貫通するように前記筒状嵌合部３ｂに横設されている。
【００２８】
（８）ハンドル移動案内機構Ｘ…同調部材６
同調部材６は、上下の台座２．２内にそれぞれ水平方向に固定された上下一対のラック２１．２１と、これらのラックにそれぞれ噛合する上下の第１同調平歯車２２．２２と、これらの第１同調平歯車にそれぞれ噛合すると共に、ハンドル４内に垂直状態に設けられた１本の細長状連動軸２４の上下端部にそれぞれ固定された上下の第２同調平歯車２３．２３と、これらの第２同調平歯車２３．２３並びに前記第１調平歯車２２．２２を水平状態に軸支すると共に、前述した添設ハンドル４Ｂの上下の端面に複数個の固着具２６を介してそれぞれ固定された上下の軸支板２５．２５とから成る。
【００２９】
図４乃至図６は、ハンドル４に一体的に設けられた水平の軸支板２５に駆動歯車としての第１同調平歯車２２と、これに噛合する従動歯車としての第２同調平歯車２３がそれぞれ並列状態に軸支されていることを示す。これらの図から明らかなように、軸支板２５及び連動軸２４とは、いわばハンドル４側の部材であり、所定の位置に存在しているから、台座側のラック２１と噛合する駆動歯車２２が回転すると、該駆動力により従動歯車２３が回転し、その結果、連動軸２４はハンドル４或いは軸支板２５に対して独立に回転する。
【００３０】
ところで、同調部材６は、本実施例では、上下のラック２１．２１、上下の第１同調平歯車２２．２２、上下の第２同調平歯車２３．２３、上下の軸支板２５．２５に軸支された連動軸２４とから成るが、例えば上方の台座２のラック２１に噛合する第１同調平歯車２２は上方軸支板２５の上面側に位置しているのに対し、下方の台座２のラック２１に噛合する第１同調平歯車２２は、下方軸支板２５の下面面側に位置している。したがって、上下の部材は対称的に配設されている。
【００３１】
（９）付加的構成
図７はラック２１に加味した付加的構成の一例を示す。ラック２１は、例えば台座２の内壁面に固着具を介して固定される平面視コ字型の取付け片３１の一端部側に水平状態に固定されている。しかして、取付け片３１は、第１同調平歯車２２の突起軸２２ａを扉１の壁面１ａに直交する方向へ案内する切欠状の案内部３２ａが形成された案内板３２を有している。この案内板３２はラック２１に対して所要の間隔（第１同調平歯車２２の半径を考慮）を有して設けられている。
【００３２】
（１０）作用
ハンドル４を握った部位如何にかかわらず、ハンドル４を単純に押す或いは引くと、ハンドル４内の連動軸２４は、上下のラック２１とそれぞれ噛合する第１同調平歯車２２の駆動力により回転するので、ハンドル４は台座２に設けられた支持部材３に嵌合する上下のハンドル摺動腕５を介して、そのまま扉１の壁面１ａに直交する方向へ水平移動する。
【実施例】
【００３３】
発明の実施の形態で示した第１実施例に於いて、ハンドル用支持部材３、ハンドル摺動腕５、軸支板２５の等の形状は任意に設計変更可能である。
【００３４】
次に本発明の第２実施例及び第３実施例を説明する。これらの実施例の説明にあたって、第１実施例と同一の部分には同一又は同様の符号を付し、重複する説明を省略する。
図９及び図１０に示す第２実施例のハンドル移動案内機構Ｘ１は、上下の同調平歯車２２Ａがそれぞれ１個である点が第１実施例と異なる。すなわち、第１実施例では、上下の軸支板２５．２５に第１及び第２同調平歯車２２．２３がそれぞれ並列状態で軸支されているのに対して、第２実施例では、ラック２１Ａと噛合する同調平歯車２２Ａは、連動軸２５の上下端部に上下の軸支板２５Ａ．２５Ａを介して又は介さないでそれぞれ１個設けられている。
【００３５】
この第２実施例は、台座２の上下壁の縁部形状等如何によっては、ラック２１Ａが台座２の前方開口１１から多少食み出るので、望ましくはハンドル４の前進側の壁面４ａの第２開口或いは切欠部１６Ａの奥行きを大きくいないようにラック２１Ａの位置等を工夫するのが望ましい。
【００３６】
なお、図９に於いて、３１Ａはラック２１Ａ及び案内板３２Ａを有する取付け片である。取付け片３１Ａに少なくともラック２１Ａが含まれる。前記案内板３２Ａは同調平歯車２２Ａを壁面に直交する方向へ案内する点も第１実施例と同様である。
【００３７】
このように第２実施例の同調部材６Ａは、上下の台座２内にそれぞれ水平方向に固定された上下のラック３１Ａと、これらのラック３１Ａにそれぞれ噛合するようにハンドル４内の連動軸２４の上下端部にそれぞれ固定された上下の同調平歯車２２Ａとから成り、ハンドル４を押す或いは引くと、前記同調平歯車２２Ａの駆動力により連動軸２４が回転すると共に、台座２内に設けられた各支持部材３にそれぞれ嵌合する上下のハンドル摺動腕５を介して、ハンドル４はそのまま扉１の壁面１ａに直交する方向へ水平移動することから、第１実施例と同様の作用・効果がある。
【００３８】
図１１乃至図１５に示す第３実施例のハンドル移動案内機構Ｘ２は、同調部材６Ｂが異なる。第１実施例の同調部材６は、上下のラック、複数個の同調平歯車などを用いているが、第３実施例の同調部材６Ｂは、連動軸２４の端部に固定された回転板３５と、回転板３５の偏心位置に可動軸３６を介して一端部が軸支された連結リンク３７と、連結リンクの他端部に繋軸３８を介して「くの字型」に連結され、かつ、他端部が台座２側の固定軸３９に軸支されたリンク４０とから成る。なお、同調部材６の回転板３５、連結リンク３７等は上下に１対配設されている。また、２５Ｃは上下の軸支板である。
【００３９】
上記構成の作用は、図１４及び図１５に示す通りである。すなわち、ハンドル４をそのまま壁面１ａに直交する方向Ａへと押し込むと、連結リンク３７とリンク４０は「くの字型」に連結されていることから、ハンドル４の操作力により、前述した繋軸３８は外方向に逃げ出し、連結リンク３７は回転板３５と共動する（連結リンク３７は支軸３６を中心に回転し、同時に回転板３５は支軸３６の動く方向へ回転する）。
【００４０】
したがって、ハンドル４の押し込み量に相関して上下の回転板３５は矢印Ｂ方向（時計方向）へと同調（同期）回転する。それ故に、ハンドルを単純に押し込み、或いは引くとスムースに水平方向に進退動する。
【産業上の利用可能性】
【００４１】
本発明は、主に建具、錠前の業界で利用される。
【図面の簡単な説明】
【００４２】
図１乃至図８は本発明の最良の実施例を示す各説明図（第１実施例）。図９及び図１０は本発明の第２実施例を示す各説明図、図１１乃至図１５は本発明の第３実施例を示す各説明図。
【図１】第１実施例を示す概略説明図。
【図２】ハンドルを押した時の主要部の概略説明図。
【図３】台座の斜視からの説明図。
【図４】ハンドル側の同調部材とハンドル摺動腕の概略説明図。
【図５】同調部材等を斜視から見た場合の概略説明図。
【図６】同調部材等を平面から見た場合の概念的な概略説明図。
【図７】ラックと案内板を有する取付け板の平面図。
【図８】ハンドルを引いた時の主要部の概略説明図。
【図９】第２実施例のハンドルを押した時の主要部の概略説明図。
【図１０】第２実施例のハンドルを引いた時の主要部の概略説明図。
【図１１】第３実施例のハンドルを押した時の主要部の概略説明図。
【図１２】第３実施例のハンドルを引いた時の主要部の概略説明図。
【図１３】同調部材等を斜視から見た場合の概略説明図。
【図１４】同調部材等を平面から見た場合の概略説明図。
【図１５】同調部材の作用の概略説明図。
【符号の説明】
【００４３】
Ｘ、Ｘ１、Ｘ２…ハンドル移動案内機構、１…扉、１ａ…壁面、２…台座、２ａ…背壁、３…ハンドル用支持部材、４…ハンドル、５…ハンドル摺動腕、６、６Ａ、６Ｂ…同調部材、７…錠箱、８…固着具、１１…前方開口、１４…第１開口、１６…第２開口、１７…係止手段、１８…規制長孔、２１、２１Ａ…ラック、２２…第１同調平歯車、２３…第２同調平歯車、２２Ａ…同調平歯車、２４…連動軸、２５．２５Ａ．２５Ｃ…軸支板、２９…係合腕、３０…、３１、３１Ａ…取付け片、３２、３２Ａ…案内板、３５…回転板、３６…可動軸、３７…連結リンク、３８…繋軸、３９…固定軸、４０…リンク。
【図１】
2005226332.tif 000003
【図２】
2005226332.tif 000004
【図３】
2005226332.tif 000005
【図４】
2005226332.tif 000006
【図５】
2005226332.tif 000007
【図６】
2005226332.tif 000008
【図７】
2005226332.tif 000009
【図８】
2005226332.tif 000010
【図９】
2005226332.tif 000011
【図１０】
2005226332.tif 000012
【図１１】
2005226332.tif 000013
【図１２】
2005226332.tif 000014
【図１３】
2005226332.tif 000015
【図１４】
2005226332.tif 000016
【図１５】
2005226332.tif 000017